(57)【特許請求の範囲】
【請求項１】
少なくとも１つの光学レンズと眼鏡フレームとを含む光学機器を決定するための、コンピュータ手段によって実施される方法であって、
前記光学レンズは、装着者の眼の前の前記眼鏡フレームに取り付けられるものであり、
−  前記装着者の光学的要件と、前記装着者の顔の生物学的形態と、前記光学機器が前記装着者により装着されたときの前記装着者の顔に対する前記光学機器の位置とに少なくとも関係する装着者データが提供される、装着者データ提供工程と、
−  光学的費用関数が提供される光学的費用関数提供工程であって、
前記光学的費用関数は、可視光に関して前記装着者の眼に到達する光線の最大値を第１の目標配光とし、
前記光学的費用関数は、前記光学機器が前記装着者により装着されたときの前記少なくとも１つの光学レンズの光学機能に関係しており、
−  光保護費用関数が提供される光保護費用関数提供工程であって、
前記光保護費用関数は、前記装着者の眼及び前記装着者の皮膚に到達する紫外線の最小値を第２の目標配光とし、
前記光保護費用関数は、前記光学機器が前記装着者により装着されたときの少なくとも所与の条件下での、前記装着者の眼、又は前記装着者の眼の眼窩周囲ゾーン内の皮膚の少なくとも１つに対する、少なくとも１つの分光放射照度の推定値に関係しており、
−  光学機器決定工程であって、
前記光学的費用関数と前記光保護費用関数の関数であるグローバル費用関数は、前記双方の目標配光を最適化することを目標値とし、
前記光学機器は、該光学機器の少なくとも１つのパラメータを修正することにより該光学機器の前記グローバル費用関数と前記グローバル費用関数の目標値との差が最小になる前記光学機器が、最適化された光学機器として決定される、
上記各工程を含むことを特徴とする方法。
【請求項２】
前記所与の条件は、前記装着者が居る少なくとも１つの場面の位置に関する情報を含み、
前記少なくとも１つの場面は、スペクトル反射率の空間的再配分と少なくとも１つの放射線源とを含み、
前記少なくとも１つの放射線源は、前記光学機器が前記装着者によって装着されたときに決定された放射線スペクトルと、前記装着者の顔に対する位置とを有し、
前記光保護費用関数提供工程は、前記少なくとも１つの放射線源によりハイライトされた少なくとも１つの場面から来る放射線照度をシミュレーションする工程を含む、請求項１に記載の方法。
【請求項３】
前記決定された放射線スペクトルは、ＵＶ−Ａ窓、ＵＶ−Ｂ窓、可視窓、近赤外窓、中赤外線窓、遠赤外線窓などの少なくとも１つのスペクトル窓に限定される、請求項２に記載の方法。
【請求項４】
前記光学的費用関数は第１のスペクトラム窓で推定され、
前記光保護費用関数は第２のスペクトラム窓で推定され、
前記第１のスペクトラム窓と前記第２のスペクトラム窓は異なる、請求項１乃至３のいずれか一項に記載の方法。
【請求項５】
前記光学機器決定工程は、前記光学機器のグローバル費用関数と前記グローバル費用関数の目標値との差を最小化する前記光学機器を決定するために、前記光学装置の少なくとも１つのパラメータの一組の値を考慮して、前記光学的費用関数と前記光保護費用関数の一組の値（ＯＣＦ１、．．．、ＯＣＦｎ、ＬＰＣＦ１、．．．、ＬＰＣＦｎ）を決定する工程を含む、請求項１乃至４のいずれか一項に記載の方法。
【請求項６】
前記光学機器の前記少なくとも１つのパラメータは前記少なくとも１つの光学レンズの幾何学的パラメータである、請求項５に記載の方法。
【請求項７】
前記光学機器の前記少なくとも１つのパラメータは、
−  前記光学機器が前記装着者により装着されたときの前記少なくとも１つの光学レンズの後面と前記装着者の眼とを隔てる距離、
−  前記少なくとも１つの光学レンズのそり角又は装用時前傾角の少なくとも１つ、
−  前記少なくとも１つの光学レンズの後面の曲率マップ、
−  前記少なくとも１つの光学レンズの前面の曲率マップ、
−  前記少なくとも１つの光学レンズの外郭形状、
からなるリスト内で選択される、請求項５又は６に記載の方法。
【請求項８】
前記光学機器の少なくとも１つのパラメータは反射防止被膜パラメータである、請求項５乃至７のいずれか一項に記載の方法。
【請求項９】
前記反射防止被膜パラメータは反射防止被膜のリスト内の反射防止被膜の選択に関係する、請求項８に記載の方法。
【請求項１０】
前記光学機器の前記少なくとも１つのパラメータは眼鏡フレームの幾何学的パラメータである、請求項５乃至９のいずれか一項に記載の方法。
【請求項１１】
前記光学機器の少なくとも１つのパラメータは、
−  前記少なくとも１つの光学レンズの放射輝度減衰係数の空間的マップ、
−  前記少なくとも１つの光学レンズの放射輝度偏光係数、からなるリスト内で選択される、請求項５乃至１０のいずれか一項に記載の方法。
【請求項１２】
前記グローバル費用関数の前記目標値は標準規格に含まれる眼安全性勧告から少なくとも部分的に決定される、請求項１乃至１１のいずれか一項に記載の方法。
【請求項１３】
前記グローバル費用関数の前記目標値は、前記装着者により提供される前記装着者データから少なくとも部分的に決定される又は前記装着者に関し測定される、請求項１乃至１２のいずれか一項に記載の方法。
【請求項１４】
前記光保護費用関数提供工程は、前記光学機器が前記装着者により装着されたときの前記装着者の眼に対する少なくとも１つの光学レンズの位置を決定する工程を伴い、
前記少なくとも１つの光学レンズの位置を決定する工程は、前記装着者が前記眼鏡フレームと同一の試しフレームを装着しているときに前記装着者に関し決定された実際の装着パラメータを考慮する、請求項１乃至１３のいずれか一項に記載の方法。
【請求項１５】
前記装着者データはさらに、
−  装着者視覚行動、
−  装着者個人専用光感度、
−  装着者美学的光学レンズ嗜好、
−  装着者職業活動、
−  装着者年令からなるリスト内から選択されたタイプに属するデータを含む、請求項１乃至１４のいずれか一項に記載の方法。
【発明の詳細な説明】
【技術分野】
【０００１】
本発明は、装着者の眼の前の眼鏡フレームに搭載されるべく適合された少なくとも１つの光学レンズと眼鏡フレームとを含む光学機器を決定する方法に関する。本発明はさらに、プロセッサへアクセス可能な１つ又は複数の格納された命令の配列を含むコンピュータプログラム製品であって、プロセッサにより実行されるとプロセッサに本発明による方法の工程を実行させるコンピュータプログラム製品に関する。
【背景技術】
【０００２】
本発明の背景の論述は本発明の文脈を説明するために含まれる。参照される材料のいずれも特許請求の範囲のいずれか一項の優先日の時点で既に公表された、既知であった、又は一般的知識の一部であったということを認めるものではない。
【０００３】
そのスペクトル範囲（ＵＶ、可視光、ＩＲ）に基づく光放射線は、眼鏡フレームに取り付けられた光学レンズを含む光学機器の装着者にとって有害及び／又は不快となり得る。
【０００４】
装着者の眼へ又は装着者の眼窩周囲ゾーン内の皮膚へ到達し得る放射線の中で、以下のタイプの放射線が考えられ得る。
【０００５】
第１に、光学レンズの前面から入り眼まで透過する透過電磁波。このような放射線は、光学レンズの後面により最終的に屈折される前に、２つの屈折により直接、又は光学レンズの後面上の内部反射と次に光学レンズの前面上の内部反射によるより複雑な経路によりのいずれかで装着者の眼に到達する。
【０００６】
第２に、光学レンズの後面により反射された後に眼に到達する反射放射線。通常、装着者の背後から到達する放射線は、装着者の頭又は眼鏡フレームの影効果を受けなければ、光学レンズの後面により反射され装着者の眼に向かい得る。
【０００７】
第３に、光学レンズにより反射又は透過されることなく装着者の眼に直接到達する直接放射線。
【０００８】
通常、光学レンズは、レンズを直接透過する可能性がある有害な紫外線を効果的に吸収して、有用可視放射線を透過する。しかし、装着者の背後から到達する放射線は、レンズの後面に塗布された多層被膜により反射され、したがって装着者の眼に到達し得る。標準的多層被膜は反射される不快な可視線の量を低減するように設計される。
【０００９】
紫外線の反射を低減する特別の被膜は、光学レンズの裏面上で反射された後装着者の眼に到達する危険な放射線を制限するように光学レンズの裏面上に塗布され得る。
【００１０】
しかし、光学レンズの裏面の被膜以外の多くの他のパラメータが、装着者の眼に到達する間接放射線に影響を及ぼし得る。例えば、眼鏡フレームの形状及び／又は装着者の顔の生物学的形態及び／又は光学レンズの幾何学形状が、装着者の眼に到達する間接放射線の量に影響を及ぼし得る。光学レンズの幾何学形状はまた、光学レンズを通過した後に装着者の眼に到達する直接放射線の数に影響を及ぼし得る。
【００１１】
したがって、光学レンズの裏面上の反射により又は光学レンズを通過してのいずれかで装着者の眼に到達する不要な放射線の数を低減するべく構成された改良型光学機器を提供する必要があると思える。
【発明の概要】
【課題を解決するための手段】
【００１２】
この目的を達成するために、本発明は、少なくとも１つの光学レンズと眼鏡フレームとを含む光学機器であって、光学レンズが装着者の眼の前の前記眼鏡フレームに取り付けられる光学機器を決定するための例えばコンピュータ手段により実施される方法を提案する。前記光学レンズは、装着者の眼の前の前記眼鏡フレームに取り付けられるものであり、本方法は、
−  前記装着者の光学的要件と、前記装着者の顔の生物学的形態と、前記光学機器が前記装着者により装着されたときの前記装着者の顔に対する前記光学機器の位置とに少なくとも関係する装着者データが提供される、装着者データ提供工程と、
−  光学的費用関数が提供される光学的費用関数提供工程であって、
前記光学的費用関数は、可視光に関して前記装着者の眼に到達する光線の最大値を第１の目標配光とし、
前記光学的費用関数は、前記光学機器が前記装着者により装着されたときの前記少なくとも１つの光学レンズの光学機能に関係しており、
−  光保護費用関数が提供される光保護費用関数提供工程であって、
前記光保護費用関数は、前記装着者の眼及び前記装着者の皮膚に到達する紫外線の最小値を第２の目標配光とし、
前記光保護費用関数は、前記光学機器が前記装着者により装着されたときの少なくとも所与の条件下での、前記装着者の眼、又は前記装着者の眼の眼窩周囲ゾーン内の皮膚の少なくとも１つに対する、少なくとも１つの分光放射照度の推定値に関係しており、
−  光学機器決定工程であって、
前記光学的費用関数と前記光保護費用関数の関数であるグローバル費用関数は、前記双方の目標配光を最適化することを目標値とし、
前記光学機器は、該光学機器の少なくとも１つのパラメータを修正することにより該光学機器の前記グローバル費用関数と前記グローバル費用関数の目標値との差が最小になる前記光学機器が、最適化された光学機器として決定される、上記各工程を含む。
【００１３】
有利には、光学機器決定工程中に光保護費用関数の関数である前記グローバル費用関数を考慮することで、装着者の眼及び／又は眼窩周囲ゾーン内の装着者の皮膚の分光放射照度に応じて最適化された光学機器を提供することができる。
【００１４】
換言すれば、今日まで行われてきたものとは異なり、本発明により決定される光学機器は、光学機能によってだけでなく、この光学機器により提供される光保護によっても決定される。
【００１５】
さらに、本発明による方法は、装着者の顔の生物学的形態、及び／又は光学機器が使用される大気条件、及び／又は光学機器の特別の装着条件に好適な光学機器を決定することを可能にする。
【００１６】
換言すれば、本発明による方法は、個別化された使用状況の特質を考慮に入れてカスタマイズされた機器を決定することを可能にするツールである。これは、眼科用レンズ及び眼科用光学機器用に確立された設計技術と比較して技術的な飛躍的進歩である。
【００１７】
単独で又は組み合わせで考えられ得る別の実施形態によると、
−  所与の条件は、装着者が居る少なくとも１つの場面の位置に関する情報を含み、少なくとも１つの場面は、スペクトル反射率（ａｌｂｅｄｏ）の空間的再配分と少なくとも１つの放射線源とを含み、少なくとも１つの放射線源は、光学機器が装着者によって装着されたときに決定された放射線スペクトルと、装着者の顔に対する位置とを有し、光保護費用関数提供工程は、少なくとも１つの放射線源によりハイライトされた少なくとも１つの場面から来る放射線照度をシミュレーションする工程を含み、及び／又は
−  決定された放射線スペクトルはＵＶ−Ａ窓、ＵＶ−Ｂ窓、可視光窓、近赤外線窓、中赤外線窓、縁赤外線窓などの少なくとも１つのスペクトラム窓に限定される、及び／又は
−  光学的費用関数は第１のスペクトラム窓で推定され、光保護費用関数は第２のスペクトラム窓で推定され、第１のスペクトラム窓と第２のスペクトラム窓は異なる、及び／又は
−  放射線源は太陽又は人工放線源である、及び／又は
−  場面の位置は地球上の位置により定義され、所与条件は日時の情報を含む、及び／又は
−  少なくとも１つの放射線源が太陽である場合、地球上の位置と日時の情報は太陽高度を決定するために利用される、及び／又は
−  所与条件は場面大気のエアゾール組成及び／又は場面を覆う雲の記述を含む、及び／又は
−  所与条件は、スペクトル反射率の空間的再配分により反映される放射輝度の偏光に関する情報を含む、及び／又は
−  光学機器決定工程は、グローバル費用関数と該グローバル費用関数の目標値との差を最小化する光学機器を決定するために、光学装置の少なくとも１つのパラメータの一組の値を考慮して、光学的費用関数と光保護費用関数の一組の値（ＯＣＦ１、．．．、ＯＣＦｎ、ＬＰＣＦ１、．．．、ＬＰＣＦｎ）を決定する工程を含む、及び／又は
−  光学機器の少なくとも１つのパラメータは少なくとも１つの光学レンズの幾何学的パラメータである、及び／又は
−  光学機器の少なくとも１つのパラメータは以下のものからなるリスト内で選択される、
−  光学機器が装着者により装着されたときの少なくとも１つの光学レンズの後面と装着者の眼とを隔てる距離、
−  少なくとも１つの光学レンズのそり角及び／又は装用時前傾角、
−  少なくとも１つの光学レンズの後面の曲率マップ、
−  少なくとも１つの光学レンズの前面の曲率マップ、
−  少なくとも１つの光学レンズの外郭形状、及び／又は
−  光学機器の少なくとも１つのパラメータは反射防止被膜パラメータである、及び／又は
−  反射防止被膜パラメータは反射防止被膜のリスト内の反射防止被膜の選択に関係する、及び／又は
−  光学機器の少なくとも１つのパラメータは眼鏡フレームの幾何学的パラメータである、及び／又は
−  光学機器の少なくとも１つのパラメータは以下のものからなるリスト内で選択される、
−  少なくとも１つの光学レンズの放射輝度の減衰係数の空間的マップ、
−  少なくとも１つの光学レンズの放射輝度偏光係数、及び／又は
−  グローバル費用関数の目標値は標準規格に含まれる眼安全性勧告（ａｎ  ｅｙｅ−  ｓａｆｅｔｙ  ｒｅｃｏｍｍｅｎｄａｔｉｏｎ  ｃｏｍｐｒｉｓｅｄ  ｉｎ  ａ  ｓｔａｎｄａｒｄ）から少なくとも部分的に決定される、及び／又は
−  グローバル費用関数の目標値は、装着者により提供される装着者データから少なくとも部分的に決定され、又は装着者に関し測定される、及び／又は
−  光保護費用関数提供工程は光学機器が装着者により装着されたときの装着者の眼に対する少なくとも１つの光学レンズの位置を決定する工程を含み、少なくとも１つの光学レンズの位置を決定する工程は、装着者が眼鏡フレームと同一の試しフレームを装着しているときに装着者に関し決定された実際の装着パラメータを考慮する、及び／又は
−  装着者データはさらに、以下のものからなるリスト内で選択されたタイプに属するデータを含む：
−  装着者視覚行動、
−  装着者専用光感度、
−  装着者の美学的光学レンズ嗜好、
−  装着者の職業活動、
−  装着者の年令。
【００１８】
別の態様によると、本発明は、プロセッサにアクセス可能な１つ又は複数の格納された命令の配列であってプロセッサにより実行されるとプロセッサに本発明による方法の工程を実行させる命令を含むコンピュータプログラム製品に関する。
【００１９】
別の態様によると、本発明はコンピュータに本発明の方法を実行させるプログラムに関する。
【００２０】
本発明はまた、本発明によるコンピュータプログラム製品の１つ又は複数の命令の配列を担持するコンピュータ可読媒体に関する。
【００２１】
本発明はさらに、コンピュータに本発明の方法を実行させるプログラムを記録したコンピュータ可読記憶媒体に関する。
【００２２】
本発明は、１つ又は複数の命令の配列を格納するとともに本発明による方法の工程の少なくとも１つを行うべく適合されたプロセッサを含む装置に関する。
【００２３】
次に本発明の非限定的実施形態について添付図面を参照して説明する。
【図面の簡単な説明】
【００２４】
【図１】本発明の第１の実施形態による方法のフローチャートである。
【図２】本発明の別の実施形態による方法のフローチャートである。
【図３】反射防止被膜の特徴を表す。
【図４】反射防止被膜の特徴を表す。
【発明を実施するための形態】
【００２５】
添付図面内の要素は簡略化と明確化のために示されており、必ずしも原寸に比例して描かれていない。例えば、図面内の要素のいくつかの寸法は、本発明の実施形態の理解を深めるのを支援するために他の要素に対して誇張されることがある。
【００２６】
本発明のフレームワークでは、以下の用語は次に示す意味を有する。
−  用語「光学レンズ」は、装着者の顔により支持されるよう意図された任意のタイプの既知レンズを意味すると理解される。この用語は、非矯正レンズ、累進加入度レンズなどの矯正レンズ、単焦点又は多焦点レンズなどの眼科用レンズを指し得る。この用語はまた、例えば色調、フォトクロミズム、偏光濾過、エレクトロクロミズム、反射防止特性、抗傷特性など少なくとも１つの付加価値を提示する可能性がある眼科用レンズを指し得る。
−  用語「光学機器」は、眼鏡フレームと少なくとも１つの光学レンズとを含む任意のタイプの既知の眼鏡を意味するものと理解される。光学機器は、装着者の両眼を覆う単一光学レンズ（例えば、ゴーグル又はマスク）又は片眼だけを覆う単一光学レンズ（例えば、ヘッドマウントディスプレイ）のいずれかを含み得る。光学機器は装着者の眼をそれぞれ覆う２つの光学レンズを含み得る。この用語は、眼科光学機器、非眼科光学機器、サングラス、ゴーグルなどのスポーツ用途眼鏡、読書用眼鏡、保護眼鏡、運転用眼鏡を指し得る。
−  用語「処方箋」は、例えば装着者の眼の前に配置されるレンズにより装着者の視力欠陥を矯正するために眼科医又は視力検査医により決定される屈折力、非点収差、プリズム偏差、及び適切な場合には、加入度からなる一組の光学的特徴を意味するものと理解される。例えば、累進加入度レンズのための処方箋は、遠方視力点における屈折力と乱視の値と適切な場合は加入度値とを含む。
−  装着時前傾角は、光学レンズの光軸と第一眼位における眼の視軸間の垂直面内の角度であり、通常水平となるように採られる。
−  そり角は、光学レンズの光軸と第一眼位における眼の視軸間の水平面内の角度であり、通常水平となるように採られる。
−  光学レンズの光軸は、光学レンズの前面に垂直な方向であり、光学レンズの光学中心又は累進光学レンズの場合にはプリズム基準点（ＰＲＰ）を通る。
−  本発明による方法は装着者の眼と眼窩周囲ゾーンに到達する光線の分布を決定する工程を含む。この眼と眼窩周囲ゾーンの全領域は露出領域として定義される。
−  用語「シミュレーション」は放射線測定及び光学シミュレーションを参照するために使用される。これは、光線の幾何学的特徴（これらは、それらの出発点により定義されるベクトル、３Ｄ空間におけるそれらの方向である）だけでなくそれぞれのエネルギー、それらのスペクトル範囲及び場合によりそれらの偏光も考慮する光線追跡計算技術である。光線追跡は、考察されるシステムの様々な環境における光線の伝搬路の計算である。波長λを有する光線は、波長λにおいて異なる屈折率の２つの媒体間の界面にぶつかるまで、その方向ベクトルに沿って直線で伝達され、次に、スネル‐デカルト則に従って屈折され、反射され（直接反射される、又は拡散する）又は吸収される。表面との交差点と表面と相互作用した後のビームの新しい方向はソフトウェアにより計算され、光線は別の表面（前の関数内の系の幾何学形状と同じであり得る）に出会うまで伝播する。
−  用語「円錐」したがって用語「入射円錐」は説明を簡単にするために広義に使用される。入射円錐は、実際には、光学レンズ全体にわたる光線の分布の包絡線である。この分布は、レンズ表面と実際に光学的に相互作用する光学レンズの面に入射するすべての光線（以前の説明において記載された特徴を備えた）からなる。この円錐は光学レンズの一方の側に実際に到達する光線だけを含む。これは、空間の全ての方向に放射する放射線源でも、これらの方向のいくつかは頭又はフレームの遮蔽により停止され得るので光線が光学レンズへ到達するのを許容しないためである。包絡線のこの定義により、この光線の分布は数学又は物理学において一般的に知られているようにただ１つの完全な円錐の幾何学形状に限定されない。この光線の分布は実際、複数の円錐、又は任意の形状の１つ又は複数の組の含意を有し得る。
【００２７】
本発明は、例えばコンピュータ手段により実施される光学機器決定方法に関する。光学機器は通常、少なくとも１つの光学レンズと眼鏡フレームとを含み、光学レンズは装着者の眼の前の眼鏡フレームに搭載されるべく適合される。
【００２８】
本発明による方法は、光放射線に対して強化され個人化された保護を有する装着者用の光学機器を決定することを可能にする。このような結果は、装着者の眼と眼窩周囲ゾーン上の光放射線分布を最適化することによって達成される。
この最適化は、光学機器の光学レンズにより屈折又は反射される放射線の測光フローシミュレーションを使用することにより行われ得る。
【００２９】
図１に表されるように、本発明による方法は少なくとも、
−  装着者データ提供工程Ｓ１、
−  光学的費用関数提供工程Ｓ２、
−  光保護費用関数提供工程Ｓ３、
−  光学機器決定工程Ｓ４、を含む。
【００３０】
装着者データは装着者データ提供工程中に提供される。装着者データは、少なくとも装着者の光学的要件と、装着者の顔の生物学的形態と、光学機器が装着者により装着されたときの装着者の顔に対する光学機器位置とに関係する。
【００３１】
装着者の光学的要件は、光学レンズが眼科用レンズである場合、装着者の処方箋を含み得る。装着者の光学的要件はまた、装着者が眼科処方箋を必要としないという指示を含み得る。
【００３２】
装着者の顔の生物学的形態は装着者の鼻及び／又側頭ゾーンの耳介及び／又は装着者の髪の毛の形状と位置に関係し得る。
【００３３】
装着者データはさらに、装着者の視覚行動に関係する装着者視覚行動データを含み得る。通常、装着者の眼／頭の運動戦略が考慮され得る。
【００３４】
実際、個人は、異なる方向を連続的に見る際に眼又は頭のいずれかを動かすという異なる性向を有する。このような性向は、光学レンズを決定する際に重要となり得る。例えば、装着者が頭を動かすという大きな傾向を有すれば、装着者はたいていは、光学レンズの中央部を使用することになり、一方、装着者が眼を動かすという大きな傾向を有すれば、装着者は光学レンズの周囲部をより使用し得る。
【００３５】
装着者データはさらに、装着者光感度の指標を含み得る。実際、すべての装着者が光に対して同じ感度を有するわけではない。特に、装着者の眼の虹彩の色はこのような光感度の指標を提供し得る。
【００３６】
装着者データはさらに、光学機器の前面の所望曲線、又は眼鏡フレームの前部と光学レンズの前面間の曲線の差に関する要件などの装着者の美学的光学的嗜好を含み得る。
【００３７】
装着者データはさらに、光学機器を装着する際の装着者の活動の指標を含み得る。実際、光学機器を決定する際、特に光保護機能に関し、装着者の活動のタイプは重要であり得る。通常、光保護の観点での要件は、光学機器が読書に使用される場合とスキー又は航海に使用される場合とでは同じではない。
【００３８】
装着者データは、装着者が光学機器を使用する好適な地理的局所化の指標を含み得る。
実際、このような指標は、本発明による方法において考慮される照明のタイプに関する有用指標を提供し得る。照明条件は、場所毎に、さらには時季及び／又は時刻に依存して異なる。
【００３９】
有利には、本発明による方法は、地球上の特定場所の照明条件に、そしてさらには特別の時季又は時刻に適応化された光学機器を決定することを可能にする。
【００４０】
装着者データはさらに、装着者の年令に関する指標を含み得る。
【００４１】
光学的費用関数は光学的費用関数提供工程Ｓ２期間中に提供される。
【００４２】
光学的費用関数は、光学機器が装着者により装着されたときの少なくとも１つの光学レンズの光学機能に関係する。
【００４３】
本発明の意味では、光学機能は、光学レンズを通過する光線への光学レンズの効果を凝視方向毎に提供する機能に対応する。光学機能は、光学レンズの一部分だけ、光学的関心のある部分、すなわち装着者により最も使用される光学レンズの部分について定義される。
【００４４】
光学機能は、屈折光学機能、光吸収、偏光能力、コントラスト能力の強化などを含み得る。
【００４５】
屈折光学機能は、凝視方向に応じた光学レンズ度数（平均屈折力、非点収差など）に対応する。
【００４６】
光保護費用関数は光保護費用関数提供工程Ｓ３期間中に提供される。
【００４７】
光保護費用関数は、装着者が光学機器を装着しているときの所与条件下の装着者の眼及び／又は装着者の眼窩周囲ゾーン内の装着者の皮膚全体にわたる分光放射照度の推定値に少なくとも関係する。
【００４８】
所与条件は、装着者が居る場面又は視環境に関する情報を含み得る。
【００４９】
場面は、少なくとも１つの放射線源とスペクトル反射率の空間的再配分とを含む。放射線源は、決定された放射線スペクトルと、光学機器が装着者により装着されたときの装着者の顔に対する所与の位置とを有する。
【００５０】
放射線スペクトルはＵＶ−Ａ又はＵＶ−Ｂなどのスペクトラム窓に限定され得る。スペクトル境界は使用される定義に依存する。例えば、ＵＶと可視光におけるスペクトル境界に関するＩＳＯ標準８９８０−３を参照する場合、２８０〜３１５ｎｍのＵＶＢ、３１５〜３８０ｎｍのＵＶＡ、３８０〜７８０ｎｍの可視光を考慮するであろう。
【００５１】
近赤外線窓は０．７８μｍ〜３μｍ、中赤外線窓は典型的には３μｍ〜５０μｍ、縁赤外線窓は典型的には５０μｍ〜１ｍｍであると考えられ得る。ＵＶに関しては、スペクトル境界は定義するために使用される基準に依存する。例えば、赤外放射線の露出の制限に関するＩＣＮＩＲＰ（国際非電離放射線防護委員会）ガイドラインでは、赤外領域は、０．７８μｍ〜１．４μｍのＩＲ−Ａ、１．４μｍ〜３μｍのＩＲ−Ｂ、そして３μｍ〜１ｍｍのＩＲ−Ｃに細分化される。
【００５２】
光学機能を推定するために同じ放射線源が使用され得る。
【００５３】
本発明の実施形態によると、光学機能は、光保護機能を推定ために使用される第２のスペクトラム窓と異なる第１のスペクトラム窓内で推定される。
【００５４】
通常、光学機能は可視光窓内で推定され、光保護機能はＵＶ−Ａ又はＢ窓内で推定される。
【００５５】
放射線源は、自然源（通常は太陽又は人工放射線源）であり得る。自然放射線源と人工放射線輝度との選択は、光学機器を装着する際に装着者が行う活動のタイプに基づきなされ得る。
【００５６】
地球上の位置と日時は、放射線源とスペクトル反射率の空間的再分配とを決定する際に考慮され得る。通常、放射線源が太陽である場合、地球上の位置と日時は太陽高度を決定するために使用され得る。所与条件は、場面の大気のエアゾール組成及び／又は場面を覆う雲の記述を含み得る。
【００５７】
所与条件はさらに、スペクトル反射率の空間的再配分により反映される放射線の偏光に関する情報を含み得る。
【００５８】
最適化光学機器は光学機器決定工程Ｓ４期間中に決定される。
【００５９】
最適化光学機器は、グローバル費用関数とこのグローバル費用関数の目標値との差を最小化する光学機器の構成に対応する。グローバル費用関数は、光学的費用関数と光保護費用関数との関数である。例えば、グローバル費用関数は、光学的費用関数と光保護費用関の加重和であり得、重み係数のいずれも零に等しくない。
【００６０】
通常、光学機器決定工程は、少なくとも１つの放射線源によりハイライトされた場面から来る放射線照度がシミュレーションされるシミュレーション工程を含む。
【００６１】
本発明の一実施形態によると、光学機器決定工程は、グローバル費用関数とこのグローバル費用関数の目標値との差を最小にする光学機器を決定するために、この光学機器の少なくとも１つのパラメータの一組の値を検討する際に、光学的費用関数（ＬＰＣＦ１，．．．，ＬＰＣＦｎ）と光保護費用関数の一組の値（ＯＣＦ１、．．．、ＯＣＦｎ）を決定する工程を含む。
【００６２】
グローバル費用関数の目標値は、少なくとも部分的には、標準規格に含まれる眼安全性勧告から、及び又は装着者により提供されあるいは装着者に関して測定することで得られる装着者データから、決定してもよい。
【００６３】
通常、光学機器の少なくとも１つのパラメータは光学機器の光学レンズの幾何学的パラメータである。
【００６４】
この光学機器パラメータの少なくとも１つのパラメータは、以下のものに関係し得る。
−  光学機器が装着者により装着されたときの少なくとも１つの光学レンズの後面と装着者の眼とを隔てる距離、及び／又は
−  少なくとも１つの光学レンズのそり角及び／又は装用時前傾角、及び／又は
−  少なくとも１つの光学レンズの後面の曲率マップ、及び／又は
−  少なくとも１つの光学レンズの前面の曲率マップ、及び／又は
−  少なくとも１つの光学レンズの外郭形状。
【００６５】
一実施形態によると、光学機器の少なくとも１つのパラメータは、反射防止被膜のリストのうちの例えば反射防止被膜の選択に関係する反射防止被膜パラメータである。
【００６６】
光学機器の少なくとも１つのパラメータは以下のものからなるリスト内で選択され得る。
−  少なくとも１つの光学レンズの放射輝度減衰係数の空間的マップ、
−  少なくとも１つの光学レンズの放射輝度偏光係数。
【００６７】
モデリング工程はさらに、光学機器が装着者により装着されたときの装着者の眼に対する少なくとも１つの光学レンズの位置を決定する工程を含み得る。通常、光学レンズの位置は、装着者が眼鏡フレームと同一の試しフレームを装着しているときに装着者に関し決定された実際の装着パラメータを考慮する。これらの装着パラメータは以下のものからなる。
−  光学機器が装着者により装着されたときの少なくとも１つの光学レンズのそり角、
−  光学機器が装着者により装着されたときの少なくとも１つの光学レンズの装用時前傾角、
−  光学機器が装着者により装着されたときの少なくとも１つの光学レンズの後面と装着者の眼とを隔てる距離。
【００６８】
図２は、本発明の一実施形態による方法のフローチャートを表す。図２に示すように、このような実施形態による方法は以下のものを含む。
−  装着者データ提供工程Ｓ１００、
−  入射円錐決定工程Ｓ１０２、
−  目標配光提供工程Ｓ１０４、
−  初期光学レンズ決定工程Ｓ１０６、
−  初期配光決定工程Ｓ１０８、
−  配光比較工程Ｓ１１０、
−  光学機器パラメータ修正工程Ｓ１１２、
−  配光決定工程Ｓ１１４。
配光比較工程Ｓ１１０、光学機器パラメータ修正工程Ｓ１１２及び配光決定工程Ｓ１１４は、配光と目標配光との差が閾値より小さくなるまで繰り返される。
【００６９】
既に詳細に説明したように、装着者データ提供工程Ｓ１００期間中に、装着者データが提供される。装着者データは、装着者の光学的要件と、装着者の顔の生物学的形態と、光学機器が装着者により装着されたときの装着者の顔に対する光学機器位置とに少なくとも関係する。
【００７０】
装着者データに含まれる様々なデータに基づき、入射円錐は入射円錐決定工程Ｓ１０２期間中に決定され得る。
【００７１】
例えば、光線追跡シミュレーションを使用することにより、光源から発する光線が光学レンズにぶつかることを決定し得る。
【００７２】
装着者の眼及び／又は眼窩周囲ゾーン全体にわたる目標配光は目標配光提供工程Ｓ１０４期間中に提供される。目標配光は標準規格に含まれる眼安全勧告を利用することにより決定され得る。目標配光は波長依存であり得る。換言すれば、目標配光は波長に依存して異なり得る。
【００７３】
例えば、目標配光は、可視光については光学レンズにより透過された後に装着者の眼に到達する光線の最大値に、ＵＶについては紫外線が追随する光路が何であろうと装着者の眼に到達する光線の最小値に対応し得る。
【００７４】
初期光学レンズは初期光学レンズ決定工程Ｓ１０６期間中に決定される。初期光学レンズは所望光学機能に基づき決定され得る。通常、既知の最適化法を使用することにより、光学機能要件を最も良く満たすように光学レンズの前面と後面の両表面、両表面面間の距離、及び光学レンズの屈折率を決定し得る。
【００７５】
このような初期光学レンズ決定工程は通常、光線追跡計算により行われる。
【００７６】
初期光学レンズ決定工程中に決定された初期光学レンズの初期配光が決定される。通常、初期配光は入射円錐を使用する光線追跡シミュレーションにより決定される。
【００７７】
初期配光は、配光比較工程Ｓ１１０期間中に目標配光と比較される。
【００７８】
光学機器の少なくとも１つのパラメータが光学機器パラメータ修正工程Ｓ１１２期間中に修正される。
【００７９】
光学機器パラメータ修正工程Ｓ１１２期間中に修正され得る光学機器のパラメータの中でも、次の２つのグループを考慮し得る。可視光帯における光学レンズの光学機能を変更し得るパラメータ（例えば、装着者により気付かれる）と、可視光帯における光学レンズの光学機能に影響を及ぼさないパラメータ（おそらく装着者により気付かれない）。
【００８０】
光学機能を変更し得るパラメータの中でも、所与の装着条件では、光学レンズの両表面と眼鏡フレームの幾何学形状とを考慮し得る。
【００８１】
通常、光学レンズの後面の表面は光学レンズの後面上で反射された後に装着者の眼に到達し得る光線の数を低減するように修正され得る。光学レンズの後面の表面の変更を所与として、光学レンズの前面の表面は光学レンズの光学性能全体を維持するように修正される。光学レンズの前面の表面のこのような補償変更は、光学的に関心のあるゾーン内で行われる光学レンズの後面の表面の変更に限定され得る。通常、光学レンズの後面の表面の最外周が変更されたとしても、光学レンズのこのような周囲部分は典型的凝視方向分散を経験する装着者により使用される可能性が極めて低いので、光学レンズの前面の表面を変更したとは考えないであろう。
【００８２】
可視光帯内の光学機能に影響を及ぼさないパラメータの中でも、光学レンズの前面及び／又は裏面上に配置される反射防止被膜を考慮し得る。
【００８３】
両タイプのパラメータは光学機器パラメータ修正工程中に変更され得る。
【００８４】
修正光学機器に対応する配光は配光決定工程Ｓ１１４期間中に決定される。
【００８５】
配光比較工程Ｓ１１０、光学機器パラメータ修正工程Ｓ１１２及び配光決定工程Ｓ１１４は、配光と目標配光との差が閾値より小さくなるまで繰り返される。
【００８６】
指摘したように、光学機器パラメータ修正工程は、光学レンズ上に配置された反射防止被膜のタイプなどの光学機能に影響を及ぼさないパラメータを修正する工程を含み得る。
【００８７】
このような実施形態によると、光学機能をさらに決定する必要が無い。
【００８８】
本発明のいくつかの実施形態によると、光学機器パラメータ修正工程は光学レンズの表面プロファイルなどの光学機能に影響を及ぼすパラメータを修正する工程を含み得る。
【００８９】
このような実施形態による方法では、光学機器パラメータ修正工程は、光学機能に対する変更の影響を制限するようにパラメータをさらに修正する工程を含み得、本方法はさらに光学機能評価工程を含み得る。このパラメータ修正工程は、いかなる図にも示されない。
【００９０】
光学機能評価工程中、修正光学機器の光学機能は、例えば光線追跡シミュレーションにより決定され、光学機能要件と比較される。レンズ設計者は、光学機器を修正する際に許される光学機能の変化の量を決定し得る。例えば、レンズ設計者は、光学機器のパラメータの変更は光学レンズの光学機能を維持するように補償され得る変更に限定されると考え得る。
【００９１】
光学機器パラメータ修正工程中に修正され得るパラメータはまた、光学機器を製造するために（特に、光学レンズを製造するために）利用可能な製造方法により制限され得る。
【００９２】
半製品光学レンズブランクを古典的に使用する機械加工処理の場合、前面に関する自由度は制限される。したがって、光学機器パラメータ修正工程Ｓ１１２中の光学レンズの後面に対する可能な修正もまた制限される。
【００９３】
次に、本発明の目的は、光学機能だけでなく紫外線などの光放射線に対する保護を考慮することにより半製品レンズブランク及びしたがって眼科用レンズの前面を選択することだろう。広範囲の前面曲線全体にわたる光学レンズの光学性能を何とか維持することが可能であるということが実証された。したがって、露出領域全体にわたる配光を最適化するように光学レンズの裏面を修正することがこのような前面曲線の範囲全体にわたり可能である。
【００９４】
本発明の方法は、本製造方法が光学レンズの両表面のデジタル表面仕上げを許容する場合に適用され得る。このような場合、光学レンズの前面と後面の表面は製造工程及び美学的判定基準の制限内で修正され得、したがって光学レンズの光学性能を維持する一方で光学機器のパラメータの変更に対する大きな自由度を提供する。
【実施例】
【００９５】
実施例１
本発明者らは、光学レンズの前面と後面の両表面を修正することを可能にする製造工程を考慮して単焦点光学レンズのための本発明による方法を実施した。
【００９６】
この実施例では、本発明者らは、装着者の角膜に到達する紫外線を回避しようとする装着者の角膜上のＵＶの分布を考慮した。この実施例で考慮される紫外線は、２８０〜３８０ｎｍであり、装着者の後方に空間的に位置する源から来て、水平面と１５°の入射角（仰角）を形成し、３３°でレンズに水平方向影響を及ぼすと考えられる。シミュレーションは装着者の右眼に対し行われた。
【００９７】
装着者の顔の生物学的形態が考慮され、装着者の頭は１５°下方へ向き、これは歩行時の自然な視線に対応する。
【００９８】
装着者は−２．５ジオプタの球面度数の処方箋を有する。
【００９９】
異なる装着者パラメータを有するが単独装着者上の２つの眼鏡フレームがこの実施例では考察される。５８７ｎｍの波長において１．６５の屈折率を有する単一の屈折材料が両方の眼鏡フレームに対して考慮される。機器に含まれる光学レンズの単一光学的設計が考察される。裏面に対して１１０ｍｍの曲率半径を有し前面に対して１９０ｍｍの曲率半径を有する球状裏面を有する初期光学レンズが選択される。
【０１００】
８°のそり角と−８°の装用時前傾角を有する第１の眼鏡フレームについて考察する。
【０１０１】
光線追跡シミュレーションは、初期光学機器（すなわち第１の眼鏡フレームに搭載された光学レンズ）では、装着者の角膜のほぼすべてが紫外線を受けるということを示す。
【０１０２】
次に、裏面曲率半径は１００ｍｍへ変更される。レンズのこの幾何学的修正を補償するために、及び光学レンズの同じ光学機能を維持するために、前面の曲率半径は１６２．２ｍｍへ変更される。光線追跡シミュレーションは、紫外線が装着者の眼の鼻側へ空間的にずらされ、装着者の角膜のより小さな領域に影響を与えるということを示す。
【０１０３】
次に、裏面曲率半径は９３ｍｍへ変更され、前面曲率半径は１４４．７ｍｍへ変更される。光線追跡シミュレーションは、紫外線が装着者の眼の鼻側へより多く空間的にずらされ、装着者の角膜のより小さな領域に影響を与えるということを示す。
【０１０４】
本発明による方法は、裏面の９２ｍｍの曲率半径と前面の１４２．３ｍｍの曲率半径では紫外線は装着者の角膜に到達しないということを示す。
【０１０５】
本発明者らは、１０°のそり角と−８°の装用時前傾角とを有する眼鏡フレームにより本発明による方法を実施した。本発明による方法は、紫外線が装着者の角膜に到達しないように、後面の曲率半径の１０５ｍｍの値と前面の１７５．６ｍｍの曲率半径の値を提供する。
【０１０６】
実施例２
本発明者らは、最も適切な反射防止被膜を選択するために本発明による方法を実施した。
【０１０７】
通常、このような実施例では、より一般的には本発明の方法において変更される光学機器のパラメータが光学レンズの光学機能に影響を与えない場合、光学機能は第１のインスタンスにおいて最適化される。光学的費用関数は光保護費用関数と一緒には再計算されない。
【０１０８】
この実施例はＵＶＡとＵＶＢに関して（すなわち２８０ｎｍ〜３８０ｎｍで）実施される。
【０１０９】
光保護目標は、光学レンズの裏面上で反射された後に装着者の角膜に到達する紫外線のレベルを下げることである。
【０１１０】
シミュレーションにおいて使用されるパラメータは、以下の図表に要約される。
【０１１１】
【表１】
0006466458.tif 000002
【０１１２】
源スペクトル分布は、ＡＳＴＭ  Ｇ１７３−０３ノルム（アメリカ試験材料学会）に基づくスペクトル線を使用してモデル化される。（このノルムにおけるＵＶスペクトルランクは、ＣＩＥ８５ノルムにおいて定義されるものと同様である）。
【０１１３】
スペクトルＵＶハザード関数Ｓ（λ）は、Ｄ．Ｓｌｉｎｅｙと共同者により最初に定義され今や基準としてＩＣＮＩＲＰガイドラインなどで使用される関数である。これは、ＵＶスペクトル領域内の眼スペクトル感度を表す。
【０１１４】
ＵＶ露出限度は、保健物理学８７（２）：１７１−１８６、２００４年に公表された紫外線への露出の限度に関するＩＮＣＮＩＲＰガイドラインに従って考慮される。
【０１１５】
この論文は、８時間内に領域３１５〜４００ｎｍにおける全（重み付けの無い）ＵＶスペクトル放射線露出が１０４Ｊ．ｍ−２を越えてはならなく１８０〜４００ｎｍのＵＶ露出は実効スペクトル重み付けで３０Ｊ．ｍ−２を越えてはならないということを述べている。
【０１１６】
この制限は、ほぼすべての個人が危急な悪影響無しにかつ顕著な後遺症のリスク無しに繰り返し露出され得ると予想される条件を表す。
【０１１７】
第１の反射防止被膜の特徴が図３に表されている。
【０１１８】
第２の反射防止被膜の特徴が図４に表されている。
【０１１９】
本発明者らは、０°のそり角では、閾値に到達する露出時間は両方の反射防止被膜で非常に似ているということを観測した。
【０１２０】
１０°のそり角では、すべての他のパラメータが等しいということを考えると、本発明者らは、第１の反射防止被膜は露出時間が１時間３７分の閾値に到達することを許容し第２の反射防止被膜は１時間１３分だけの時間を許容するということを観測した。
【０１２１】
したがって、本発明による方法は、光学機器のそり角に基づく反射防止被膜の最適化選択を可能にする。
【０１２２】
本発明は、一般的発明概念の制限無しに実施形態の助けを借りて上に説明された。
【０１２３】
単に一例として記載された先の例示的実施形態であってもっぱら添付の特許請求の範囲により決定される本発明の範囲を制限するように意図されていない先の例示的実施形態を参照することにより当業者には多くの別の修正と変形自体が認識される。
【０１２４】
特許請求範囲において、用語「含む」は他の素子又は工程を排除しなく、不定冠詞「ａ」又は「ａｎ」は複数の素子を排除しない。異なる特徴が相互に異なる従属請求項で列挙されるという単純な事実は、これらの特徴の組み合わせが好適には使用され得ないいということを示すものではない。特許請求範囲におけるいかなる参照符号も本発明の範囲を制限するものと解釈されてはならない。
【図１】
0006466458.tif 000003
【図２】
0006466458.tif 000004
【図３】
0006466458.tif 000005
【図４】
0006466458.tif 000006